【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
製造工程の電子品質記録を生成する方法であって：
製造環境内に位置する複数の情報源から入力を生成し、該情報源は使用される少なくとも１つのツール、ツールを使用する個人、及び個人によってツールが使用されて行われる工程に関する情報を提供し、
情報源と連通する位置決システムを使用してツールの位置及び操作を監視し、
位置決システムと連通するプロセッサを使用して生成された入力を受信し、ツールを使用して行われた工程の完了時に電子記録を生成し、該電子記録が、所定基準にしたがってツールを使用して個人によって工程が実施されたことを特定するように適合されている
ことを含む方法。
【請求項２】
位置決システムの使用が、ツールに装着された位置センサから送信された信号に応答する、屋内全地球測位システム（ＧＰＳ）位置決システムの使用を含む、請求項１に記載の方法。
【請求項３】
複数の情報源からの入力の生成が、前記ツールで前記工程を行う権限を持つ個人のデータベースからの入力の生成を含む、請求項１に記載の方法。
【請求項４】
複数の情報源からの入力の生成が、前記ツールの前記較正に関する較正情報のデータベースからの入力の生成を含む、請求項１に記載の方法。
【請求項５】
複数の情報源からの入力の生成が、前記工程を実施する間に前記ツールが作業するパーツに装着された無線識別タグと無線で連通する無線（ＲＦ）識別システムを使用して情報を生成することを含む、請求項１に記載の方法。
【請求項６】
複数の情報源からの入力の生成が、工程が実施されている部品に関連するＲＦＩＤタグを読み取る無線識別（ＲＦＩＤ）リーダを使用して、部品の特性をプロセッサに知らせることを含む、請求項１に記載の方法。
【請求項７】
プロセッサの使用が、情報を保存して表示システム上に前記電子記録の少なくとも一部を表示することができる、一体型電子監視システムの一部を形成するプロセッサの使用を含む、請求項１に記載の方法。
【請求項８】
製造工程の電子記録を生成するシステムであって：
製造環境内に位置し、使用される少なくとも１つのツール、ツールを使用する個人、及びツールを使用して個人によって行われる工程に関連する情報を提供する複数の情報源と、
製造環境内に配置され、ツールの位置及び操作を監視するために情報源と連通する位置決システム；及び
位置決システムと連通するプロセッサを有する基地局であって、生成された入力を受信し、ツールを使用して行われる工程の完了時に電子記録を生成し、該電子記録が、所定基準にしたがってツールを使用して個人によって行われた工程を特定するように適合されている基地局
を備えるシステム。
【請求項９】
位置決システムが、前記ツールに位置する位置センサと連通する屋内全地球測位システム（ＧＰＳ）を備える、請求項８に記載のシステム。
【請求項１０】
前記工程において前記ツールが作業しているパーツと連通する無線識別（ＲＦＩＤ）リーダをさらに備え、前記パーツがＲＦ識別タグを含む、請求項８に記載のシステム。
【手続補正２】
【補正対象書類名】明細書
【補正対象項目名】００５２
【補正方法】変更
【補正の内容】
【００５２】
様々な実施形態を記載したが、当業者には、本開示を逸脱することなく、修正又は変更を行うことができることが明らかである。実施例は様々な実施形態を示すものであり、本開示を限定するものではない。したがって、説明及び請求項は、関連の従来技術の観点から必要に応じた限定のみを考慮し偏見なく解釈されるべきである。
また、本発明は以下に記載する態様を含む。
（態様１）
製造工程の電子品質記録を生成する方法であって：
製造環境内に位置する複数の情報源から入力を生成し、該情報源は使用される少なくとも１つのツール、ツールを使用する個人、及び個人によってツールが使用されて行われる工程に関する情報を提供し、
情報源と連通する位置決システムを使用してツールの位置及び操作を監視し、
位置決システムと連通するプロセッサを使用して生成された入力を受信し、ツールを使用して行われた工程の完了時に電子記録を生成し、該電子記録が、所定基準にしたがってツールを使用して個人によって工程が実施されたことを特定するように適合されている
ことを含む方法。
（態様２）
位置決システムの使用が、ツールに装着された位置センサから送信された信号に応答する、屋内全地球測位システム（ＧＰＳ）位置決システムの使用を含む、態様１に記載の方法。
（態様３）
複数の情報源からの入力の生成が、前記ツールで前記工程を行う権限を持つ個人のデータベースからの入力の生成を含む、態様１に記載の方法。
（態様４）
複数の情報源からの入力の生成が、前記ツールの前記較正に関する較正情報のデータベースからの入力の生成を含む、態様１に記載の方法。
（態様５）
複数の情報源からの入力の生成が、前記工程の実施において前記ツールを使用するために個人が持つ必要のある特定のトレーニングの情報を提供するトレーニングデータベースからの入力の生成を含む、態様１に記載の方法。
（態様６）
複数の情報源からの入力の生成が、前記工程を実施する間に前記ツールが作業するパーツに装着された無線識別タグと無線で連通する無線（ＲＦ）識別システムを使用して情報を生成することを含む、態様１に記載の方法。
（態様７）
複数の情報源からの入力の生成が、工程が実施されている部品に関連するＲＦＩＤタグを読み取る無線識別（ＲＦＩＤ）リーダを使用して、部品の特性をプロセッサに知らせることを含む、態様１に記載の方法。
（態様８）
複数の情報源からの入力の生成が、前記工程の実施に関連する少なくとも１つの図面及び手順のデータベースを使用して情報を生成することを含む、態様１に記載の方法。
（態様９）
前記個人が前記ツールを使用して行う前記工程が：
組立工程；
試験工程；
修理工程；及び、
整備工程
のうちの一つを含む、態様８に記載の方法。
（態様１０）
プロセッサの使用が、情報を保存して表示システム上に前記電子記録の少なくとも一部を表示することができる、一体型電子監視システムの一部を形成するプロセッサの使用を含む、態様１に記載の方法。
（態様１１）
製造工程の電子記録を生成するシステムであって：
製造環境内に位置し、使用される少なくとも１つのツール、ツールを使用する個人、及びツールを使用して個人によって行われる工程に関連する情報を提供する複数の情報源と、
製造環境内に配置され、ツールの位置及び操作を監視するために情報源と連通する位置決システム；及び
位置決システムと連通するプロセッサを有する基地局であって、生成された入力を受信し、ツールを使用して行われる工程の完了時に電子記録を生成し、該電子記録が、所定基準にしたがってツールを使用して個人によって行われた工程を特定するように適合されている基地局
を備えるシステム。
（態様１２）
基地局が、電子記録を保存するためのメモリをさらに含む、態様１１に記載のシステム。
（態様１３）
基地局が、電子記録を表示するための表示部をさらに含む、態様１１に記載のシステム。
（態様１４）
位置決システムが、前記ツールに位置する位置センサと連通する屋内全地球測位システム（ＧＰＳ）を備える、態様１１に記載のシステム。
（態様１５）
前記工程において前記ツールが作業しているパーツと連通する無線識別（ＲＦＩＤ）リーダをさらに備え、前記パーツがＲＦ識別タグを含む、態様１１に記載のシステム。